(57)【要約】      （修正有）【課題】接眼部を射手に有益な位置および角度に設置でき、射撃時の即応性向上、照準位置の視認性の向上が可能となる照準装置を提供する。【解決手段】対物側からの外来光が入射され、像を縮小するための入射端から出射端に徐々に直径が小さくなるドープファイバ１３を有する対物部１１と、対物部１１のドープファイバ１３の出射端に一端が接続される中継のための中継ドープファイバ１５と、中継ドープファイバ１５の他端に接続され、中継ドープファイバ１５からの伝送光による像を拡大するための入射端から出射端に徐々に直径が大きくなるドープファイバ１４を有する接眼部１２とを具備することを特徴とする。【選択図】図１
2011163597.tif 000002
【特許請求の範囲】
【請求項１】
対物側からの外来光が入射され、像を縮小するための入射端から出射端に徐々に直径が小さくなるドープファイバを有する対物部と、
前記対物部のドープファイバの出射端に一端が接続される中継のための中継ドープファイバと、
前記中継ドープファイバの他端に接続され、中継ドープファイバからの伝送光による像を拡大するための入射端から出射端に徐々に直径が大きくなるドープファイバを有する接眼部と
を具備することを特徴とする照準装置。
【請求項２】
前記中継ドープファイバを２分割した前記対物部側の中継ドープファイバに接続され、前記対物部側からの伝送光を増幅する増幅部と、
前記増幅部で増幅した伝送光をデジタル変換したデジタル信号を無線器に送出する画像処理部と、
前記画像処理部からのデジタル信号を無線信号に変換して放射する無線器と
よりなる送信器と、
前記送信器からの無線信号が受信され、無線信号をデジタル信号に変換する無線器と、
前記無線器からのデジタル信号を光信号に変換し増幅部に送出する画像処理部と、
前記画像処理部からの光信号を増幅し２分割した前記接眼部側の中継ドープファイバに接続される増幅器と
よりなる受信器と
を具備することを特徴とする請求項１に記載の照準装置。
【請求項３】
前記送信器からの無線信号が受信され、無線信号をデジタル信号に変換する無線器と、
前記無線器からのデジタル信号を画像信号に変換し表示部に送出する画像処理部と、
前記画像処理部からの画像信号を表示する表示部と
よりなる受信表示器
を具備することを特徴とする請求項２に記載の照準装置。
【発明の詳細な説明】
【技術分野】
【０００１】
本発明は、銃の射撃時における視認性を改善する照準装置に関する。
【背景技術】
【０００２】
従来の照準器では対物部と接眼部が筒状に一体化しており、内部の照準点を視認するためには筒を覗きこむ必要があった。
【０００３】
また、接眼部を可動できる照準装置も存在するが、鏡等で反射し反射方向に合わせて筒を延長する方式であったため、接眼部の可動（移動）に制約がある。
【先行技術文献】
【特許文献】
【０００４】
【特許文献１】特開２００１−２８９５９５号公報
【発明の概要】
【発明が解決しようとする課題】
【０００５】
銃の照準器として利用されるスコープやドットサイトは筒状の照準器であり、機械的に位置が変更できない筒（接眼部）を覗き込まなければ照準点を視認できない。そのため、銃を構えていない（照準器を覗き込んでいない）時に敵を発見した場合、照準器を覗き込む動作分遅延が発生する。
【課題を解決するための手段】
【０００６】
上記の課題を解決するために、本発明の照準装置は、対物側からの外来光が入射され、像を縮小するための入射端から出射端に徐々に直径が小さくなるドープファイバを有する対物部と、前記対物部のドープファイバの出射端に一端が接続される中継のための中継ドープファイバと、前記中継ドープファイバの他端に接続され、中継ドープファイバからの伝送光による像を拡大するための入射端から出射端に徐々に直径が大きくなるドープファイバを有する接眼部とを具備することを特徴とするものである。
【０００７】
また本発明は、前記照準装置において、前記中継ドープファイバを２分割した前記対物部側の中継ドープファイバに接続され、前記対物部側からの伝送光を増幅する増幅部と、前記増幅部で増幅した伝送光をデジタル変換したデジタル信号を無線器に送出する画像処理部と、前記画像処理部からのデジタル信号を無線信号に変換して放射する無線器とよりなる送信器と、前記送信器からの無線信号が受信され、無線信号をデジタル信号に変換する無線器と、前記無線器からのデジタル信号を光信号に変換し増幅部に送出する画像処理部と、前記画像処理部からの光信号を増幅し２分割した前記接眼部側の中継ドープファイバに接続される増幅器とよりなる受信器とを具備することを特徴とするものである。
【０００８】
また本発明は、前記照準装置において、前記送信器からの無線信号が受信され、無線信号をデジタル信号に変換する無線器と、前記無線器からのデジタル信号を画像信号に変換し表示部に送出する画像処理部と、前記画像処理部からの画像信号を表示する表示部とよりなる受信表示器を具備することを特徴とするものである。
【発明の効果】
【０００９】
本発明は、対物部からの入射光を光ファイバの中継ドープファイバで接眼部まで送ることで、中継ドープファイバがフレキシブルに可動し、接眼部を射手に有益な位置および角度に設置が可能であることにより、射撃時の即応性向上、照準位置の視認性の向上が可能となる効果を奏する。
【図面の簡単な説明】
【００１０】
【図１】本発明の実施形態に係る照準装置の一例を示す構成説明図である。
【図２】本発明の実施形態に係る照準装置の他の例を示す構成説明図である。
【図３】本発明の実施形態に係る照準装置の受信表示器を示す構成説明図である。
【発明を実施するための形態】
【００１１】
以下、本発明の実施の形態について、詳細に説明する。
【００１２】
図１は本発明の実施形態に係る照準装置の一例を示す構成説明図である。図１において、１１は対物部、１２は接眼部、１３は対物部のドープファイバ、１４は接眼部のドープファイバ、１５は中継ドープファイバである。
【００１３】
図１に示すように、対物部１１には光ファイバであるドープファイバ１３が入射端に対物側からの外来光（像）を入射可能して設けられる。ドープファイバ１３は入射端に対物側からの外来光（像）が入射され、この外来光（像）を縮小するために入射端から出射端に徐々に直径が小さくなるように構成される。対物部１１のドープファイバ１３の出射端には中継のための光ファイバである中継ドープファイバ１５が接続可能なインタフェースが設けられる。
【００１４】
対物部１１のドープファイバ１３の出射端には中継のための光ファイバである中継ドープファイバ１５の一端が接続される。中継ドープファイバ１５の他端は接眼部１２の光ファイバであるドープファイバ１４の入射端に接続される。
【００１５】
接眼部１２のドープファイバ１４の入射端には中継のための光ファイバである中継ドープファイバ１５が接続可能なインタフェースが設けられる。接眼部１２のドープファイバ１４は入射端に中継ドープファイバ１５からの伝送光（像）が入射され、中継ドープファイバ１５からの伝送光（像）を拡大するための入射端から出射端に徐々に直径が大きくなるように構成される。接眼部１２のドープファイバ１４の出射端には伝送光（像）が出射される。
【００１６】
図２は本発明の実施形態に係る照準装置の他の例を示す構成説明図である。図２中、図１と同一部分は同一符号を付してその説明を省略する。図２において、２１は送信器、２２は受信器、２３は増幅部、２４は画像処理部、２５は無線器、２６は電源部、２７は無線器、２８は画像処理部、２９は増幅部、３０は電源部である。
【００１７】
図２に示すように、中継ドープファイバ１５は２分割され、対物部１１に接続された中継ドープファイバ１５１と、接眼部１２に接続された中継ドープファイバ１５２に分けられる。対物部１１側の中継ドープファイバ１５１は送信器２１の増幅部２３の入力端に接続される。増幅部２３は中継ドープファイバ１５１が接続可能なインタフェースを有し、対物部１１側の中継ドープファイバ１５１からの伝送光（像）を増幅する。増幅部２３の出力端には画像処理部２４の入力端が接続され、画像処理部２４は増幅部２３で増幅した伝送光（像）をデジタル変換したデジタル信号を無線器２５の入力端に送出する。無線器２５は画像処理部２４からのデジタル信号を無線信号に変換して空中に放射する。電源部２６は送信器２１を構成する増幅部２３、画像処理部２４及び無線器２５に電源を供給する。
【００１８】
受信器２２の無線器２７は送信器２１の無線器２５からの無線信号を受信し、受信した無線信号をデジタル信号に変換して画像処理部２８に送出する。画像処理部２８は無線器２７からのデジタル信号を光（像）信号に変換し増幅部２９に送出する。増幅部２９は画像処理部２８からの光（像）信号を増幅し、接眼部１２側の中継ドープファイバ１５２に送出する。増幅部２９は中継ドープファイバ１５２を接続可能なインタフェースを有し、中継ドープファイバ１５２を接続する。電源部３０は受信器２２を構成する無線器２７、画像処理部２８及び増幅部２９に電源を供給する。
【００１９】
図３は本発明の実施形態に係る照準装置の受信表示器を示す構成説明図である。図３中、図１及び図２と同一部分は同一符号を付してその説明を省略する。図３において、３１は受信表示器、３２は無線器、３３は画像処理部、３４は表示部、３５は電源部である。
【００２０】
図３に示すように、受信表示器３１の無線器３２は送信器２１の無線器２５からの無線信号を受信し、受信した無線信号をデジタル信号に変換して画像処理部３３に送出する。画像処理部３３は無線器３２からのデジタル信号を画像信号に変換し表示部３４に送出する。表示部３４は画像処理部３３からの画像信号を表示する。電源部３５は受信表示器３１を構成する無線器３２、画像処理部３３及び表示部３４に電源を供給する。
【００２１】
本発明によれば、接眼部１２と対物部１１がフレキシブルなドープファイバ１３，１４，１５となっているため、接眼部１２の位置が限定されない。そのため、射手が視認し易い位置に接眼部１２を固定することによって射撃（照準）時間が短縮される。
【００２２】
図１の構成では中継ドープファイバ１５の延長に限界があり、延長距離に比例して伝送光（像）が減衰する。減衰による実用面での延長限界に加え、中継ドープファイバ１５の取り回し等に注意が必要となる（引っ掛け、断線等）。図２に示すように、送信器２１と受信器２２を図１の照準装置に付加することにより、中継ドープファイバ１５の取り回しを気にすることなく射手に有益な場所に接眼部１２を設置することが可能となる。
【００２３】
伝送光（像）を拡大するドープファイバ１４には拡大できる限界（製造可能サイズ、サイズが大きいと重量が増す等）がある。照準装置の接眼部サイズを大きくしたい場合（複数人数で同時に視認等）には図３に示すような受信表示器３１が有益となる。
【００２４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００２５】
１１…対物部、１２…接眼部、１３…対物部のドープファイバ、１４…接眼部のドープファイバ、１５…中継ドープファイバ、２１…送信器、２２…受信器、２３…増幅部、２４…画像処理部、２５…無線器、２６…電源部、２７…無線器、２８…画像処理部、２９…増幅部、３０…電源部、３１…受信表示器、３２…無線器、３３…画像処理部、３４…表示部、３５…電源部。
【図１】
2011163597.tif 000003
【図２】
2011163597.tif 000004
【図３】
2011163597.tif 000005